(57)【要約】【課題】文房具としてのメジャー、あるいは手芸用、裁縫用等のメジャーを内部に収容した縫いぐるみであって、室内に配置した場合にも違和感がなく、また子供が興味を引き、しかも玩具性を備えた縫いぐるみを提供する。【解決手段】縫いぐるみ本体内に収容されたメジャー本体１０と、前記メジャー本体から引出可能にかつ前記メジャー本体内に巻き取り可能に収容されたメジャー１０ｂと、前記メジャーの先端部に取り付けられた、前記縫いぐるみの一部を構成する掴み部材１ｂと、前記メジャー本体に設けられた操作可能なロック解除ボタン１０ｃと、を備え、前記掴み部材１ｂを把持し、前記メジャー１０ｂを縫いぐるみ本体から引き出し、かつ前記ロック解除ボタン１０ｃを押すことにより、前記引き出されたメジャー１０ｂを前記メジャー本体１０に巻き取り、前記縫いぐるみ本体から離れた掴み部材１ｂを縫いぐるみ本体の一部に復帰させる。【選択図】図２
0003192009.tif 000002
【実用新案登録請求の範囲】
【請求項１】
縫いぐるみ本体内に収容されたメジャー本体と、
前記縫いぐるみ本体の開口を介して、前記メジャー本体から引出可能にかつ前記メジャー本体内に巻き取り可能に収容されたメジャーと、
前記メジャーの先端部に取り付けられた、前記縫いぐるみの一部を構成する掴み部材と、
前記メジャー本体に設けられ、縫いぐるみ本体の外部から操作可能なロック解除ボタンと、
を備え、
前記掴み部材を把持し、縫いぐるみ本体から離すことにより前記メジャーを縫いぐるみ本体から引き出し、
かつ前記縫いぐるみ本体の外部から前記ロック解除ボタンを押すことにより、前記引き出されたメジャーを前記メジャー本体に巻き取り、前記縫いぐるみ本体から離れた掴み部材を縫いぐるみ本体の一部に復帰させることを特徴とする縫いぐるみ。
【請求項２】
前記掴み部材が、縫いぐるみの一部を構成する、尻尾、腕部、翼部のいずれかであることを特徴とする請求項１記載の縫いぐるみ。
【請求項３】
前記縫いぐるみ本体に、着脱自在に装着される付属品を備え、
前記付属品には手芸用品あるいは裁縫道具が収容されていることを特徴とする請求項１記載の縫いぐるみ。
【考案の詳細な説明】
【技術分野】
【０００１】
本考案は縫いぐるみに関し、特にメジャーを内部に収容した縫いぐるみに関する。
【背景技術】
【０００２】
従来から、縫いぐるみの内部に種々の商品を収容、あるいは保管する提案がなされている。
例えば、特許文献１には、縫いぐるみの胴体部に三日月型袋を取り付け、ＣＤレコードを保管する縫いぐるみが提案されている。また、特許文献２には、縫いぐるみの胴体部に香水容器を収容し、尻尾に設けられた空気溜め部を押圧することにより、香水を放出できる縫いぐるみが提案されている。
【０００３】
更に、特許文献３には、縫いぐるみ内部に、吸湿バックを収容することが提案されている。また、特許文献４には、縫いぐるみの胴体部にタイムカプセルを収容した縫いぐるみが提案されている。
【０００４】
また、縫いぐるみの外部に種々の商品を取付け、陳列、あるいは保管する提案がなされている。
例えば、特許文献５には、縫いぐるみの耳の部分に、ピアス取付け部を形成し、前記ピアス取付け部にピアスを取り付けることで、ピアスを陳列する縫いぐるみが提案されている。
また、特許文献６には、縫いぐるみの本体に花瓶を挿通して保持できるリング体を設け、あたかも自らの意思で花を抱えているようにみえる縫いぐるみが提案されている。
【先行技術文献】
【特許文献】
【０００５】
【特許文献１】実開平６−４４７９４号公報
【特許文献２】実開平７−４４１４７号公報
【特許文献３】実用新案登録第３０７２４３１号公報
【特許文献４】実用新案登録第３０８９３８９号公報
【特許文献５】実開平３−３３５５２号公報
【特許文献６】実用新案登録第３００４４２９号公報
【考案の概要】
【考案が解決しようとする課題】
【０００６】
ところで、上記したように、縫いぐるみの内部、外部に種々の商品を収容、あるいは保管、また保持する提案がなされているが、手芸道具、裁縫道具、特に手芸用、裁縫用のメジャーが収容、あるいは保管する提案はなされていない。
手芸道具、裁縫道具は、身の回りに置くことが利用する際、探さずに済むため、非常に便利である。
しかしながら、従来の手芸道具、裁縫道具を収容した手芸箱、裁縫箱はデザイン性、インテリア性に乏しく、これら手芸箱、裁縫箱をそのままの状態で室内に置くことは、違和感があり、室内の雰囲気を壊すという課題があった。
また、メジャーは文房具としての機能もあり、子供の身の回り、例えば、机の上に置くことが利用する際、探さずに済むため、非常に便利である。
しかしながら、メジャーを、単に文房具入れに収容して机の上に置くことは、子供の興味を引かないために、文房具入れを他の場所に移動させてしまい、結局、メジャーを使用する際、文房具入れを探さなければならないという課題があった。
【０００７】
また、上記した縫いぐるみの内部、外部に種々の商品を収容、あるいは保管また保持する提案は、単に、商品を収容、あるいは保管、または保持するに過ぎず、縫いぐるみのおもちゃとしての玩具性については、何ら考慮されていなかった。
即ち、縫いぐるみの内部、外部に収容、保管、保持された商品を取り外した際、縫いぐるみの状態変化が少なく、あるいは状態変化が全くないために、幼児等のおもちゃとして好適に用いることができないという課題があった。
【０００８】
本考案は、上記技術的課題を解決するためになされたものであり、文房具としてのメジャー、あるいは手芸用、裁縫用等のメジャーを内部に収容した縫いぐるみであって、室内に配置した場合にも違和感がなく、また子供が興味を引き、しかも玩具性を備えた縫いぐるみを提供することを目的とするものである。
【課題を解決するための手段】
【０００９】
上記技術的課題を解決するためになされた本考案にかかる縫いぐるみは、    縫いぐるみ本体内に収容されたメジャー本体と、前記縫いぐるみ本体の開口を介して、前記メジャー本体から引出可能にかつ前記メジャー本体内に巻き取り可能に収容されたメジャーと、前記メジャーの先端部に取り付けられた、前記縫いぐるみの一部を構成する掴み部材と、前記メジャー本体に設けられ、縫いぐるみ本体の外部から操作可能なロック解除ボタンと、を備え、前記掴み部材を把持し、縫いぐるみ本体から離すことにより前記メジャーを縫いぐるみ本体から引き出し、かつ前記縫いぐるみ本体の外部から前記ロック解除ボタンを押すことにより、前記引き出されたメジャーを前記メジャー本体に巻き取り、前記縫いぐるみ本体から離れた掴み部材を縫いぐるみ本体の一部に復帰させることを特徴としている。
【００１０】
本考案にかかる縫いぐるみは、上記のように構成されているため、必要に応じてメジャーとして用いることができ、またメジャーを用いない場合には、縫いぐるみとして、室内に違和感なく飾ることができる。
また、机の上に置くことにより、子供に興味を抱かせることができるため、常に、机の上などに置いた状態をなすことができる。
更に、前記掴み部材を引くことにより、メジャーを引き出し、ロック解除ボタンを押すことにより、掴み部材が元の状態に戻るという状態変化がなされるため、幼児はその状態変化に興味が引かれ、玩具として用いることができる。
尚、メジャーは特に限定されるものではないが、手芸用、裁縫用、文具用等の一般的なメジャーを好適に用いることができる。
【００１１】
ここで、前記掴み部材が、縫いぐるみの一部を構成する、尻尾、腕部、翼部のいずれかであることが望ましい。
幼児の玩具として用いる場合、幼児は縫いぐるみの尻尾、腕部、翼部をもって遊ぶことが多く、その遊び動作により縫いぐるみに状態変化が起きるため、より好ましい。
また、前記縫いぐるみ本体に、着脱自在に装着される付属品を備え、前記付属品には手芸用品あるいは裁縫道具が収容されていることが望ましい。
このように、付属品に、例えば、はさみ、糸、針等を収容することにより、前記縫いぐるみに手芸用品あるいは裁縫道具をまとめて保管することができる。
【考案の効果】
【００１２】
本考案によれば、メジャーを内部に収容した縫いぐるみであって、室内に配置した場合にも違和感がなく、また子供が興味を引き、しかも玩具性を備えた縫いぐるみを得ることができる。
【図面の簡単な説明】
【００１３】
【図１】図１は本考案の第１実施形態にかかる馬の形をした縫いぐるみを示す概略側面図である。
【図２】図２は馬の縫いぐるみの尻尾を引き出した状態を示す概略側面図である。
【図３】図３は馬の縫いぐるみ内部に収容される裁縫用のメジャーを示す斜視図である。
【図４】図４は馬の縫いぐるみに装着される、裁縫道具を収容した鞍を示す鞍の裏面図である。
【図５】図５は本考案の第２実施形態にかかるリスの形をした縫いぐるみを示す概略側面図であって、（ａ）はメジャーが収容されている状態を示す図、（ｂ）はメジャーが引き出された状態を示す概略側面図である。
【図６】図６は本考案の第３実施形態にかかるふくろうの形をした縫いぐるみを示す概略側面図であって、メジャーが引き出された状態を示す概略側面図である。
【図７】図７は本考案を「ユニコーン」に適用した場合を示す概略側面図である。
【考案を実施するための形態】
【００１４】
以下、本考案にかかる縫いぐるみの第１の実施形態について、図１乃至図４に基づいて説明する。尚、この第１の実施形態にあっては、馬の形をした縫いぐるみの内部に、裁縫用のメジャーを収容した例を示す。また、図１は本考案の第１実施形態にかかる馬の形をした縫いぐるみを示す概略側面図、図２は馬の縫いぐるみの尻尾を引いた状態を示す概略側面図、図３は馬の縫いぐるみ内部に収容される裁縫用のメジャーを示す斜視図、図４は馬の縫いぐるみに装着される、裁縫道具が収容された鞍の裏面を示す裏面図である。
【００１５】
図１に示すように、馬の形をした縫いぐるみ１には、その胴体部１ａ、付属品として鞍２が装着されている。また、前記胴体部１ａの内部には、裁縫用のメジャー本体１０が収容されている。そして、このメジャー本体１０の内部には、メジャー１０ｂが進出後退可能に収容され、前記メジャー１０ｂの先端部に、掴み部材としての縫いぐるみ１の尻尾１ｂが取付けられている。
即ち、前記縫いぐるみ本体１の臀部に設けた開口を介して、前記メジャーが前記胴体部１ａの外部に導出され、前記尻尾１ｂに取付けられている。
【００１６】
このメジャー本体１０は、知られている一般的な裁縫用メジャーであり、図３示すように、収納ケース１０ａ内に前記メジャー１０ｂが進出後退可能に収容されている。
この裁縫用メジャーにあっては、前記収容ケース１０ａ内に収容されている状態から、前記メジャー１０ｂを引き出すと、その引き出した状態（位置）でロックがなされ、メジャー１０ｂが収容ケース１０ａ内に戻ることがなく、前記メジャーを更に引き出すことにより、引き出した状態（位置）でロックがなされるように構成されている。
一方、引き出されたメジャー１０ｂを収容ケース１０ｂ内に戻すには、収納ケース１０ａの側面のロック解除ボタン１０ｃを押すことにより、前記ロックが解除され、引き出されたメジャー１０ｂが収容ケース１０ａ内に巻き取られるように構成されている。
【００１７】
このようなメジャー１０ｂの先端部に、前記縫いぐるみ１の一部を構成する尻尾１ｂが取付けられているため、図２に示すように、尻尾１ｂを引くことにより、馬の縫いぐるみ１の胴体部１ａから尻尾１ｂが分離し、メジャー１０ｂが導出され、メジャー１０ｂを使用することができる。
また、引き出されたメジャー１０ｂは、馬の胴体部１ａに位置するメジャー本１０のロック解除ボタン１０ｃを押すことにより、引き出されたメジャー１０ｂは収納ケース１０ａ内に巻き戻される。その結果、馬の胴体部１ａから分離していた尻尾１ｂは、前記胴体部１ａに復帰し、あたかも胴体部１ａに取り付けられた尻尾１ｂのように見える。
【００１８】
このように構成されているため、本考案にかかる縫いぐるみ１は、必要に応じてメジャー１０ｂとして用いることができ、またメジャー１０ｂを用いない場合には、縫いぐるみとして、室内の雰囲気を壊すことがなく、室内に飾ることができる。
また、机の上に置くことにより、子供に興味を抱かせることができるため、常に、机の上などに置いた状態をなすことができる。
【００１９】
また、掴み部材としての前記尻尾１ｂを引くことにより、メジャー１０ｂを引き出し、ロック解除ボタン１０ｃを押すことにより、尻尾１ｂが元の状態に戻るという、幼児にとって興味深い状態変化がなされるため、玩具として用いることもできる。
【００２０】
この実施形態にあっては、図１に示すように、馬の胴体部１ａに、付属品としての鞍２が装着されている。この鞍２の裏面側は、図４に示すように、鞍本体部２ａに収容ポケット２ｄが設けられ、この収容ポケット２ｄに、例えば、はさみ３、糸４、針５等の裁縫道具が収容されている。
【００２１】
また、前記鞍本体部２ａの表面側の一端部には、図２に示すように、ボタン２ｂが取り付けられている。一方、前記鞍本体部２ａの裏面側の他端部には、図４に示すように、前記ボタン２ｂに係止される、輪状の紐部材２ｃが取り付けられている。
したがって、前記鞍２を馬の胴体部１ａに装着するには、鞍本体部２ａの裏面側が馬の胴体部１ａと接するように配置し、前記ボタン２ｂに紐部材２ｃを係止することにより、鞍２を馬の胴体部１ａに装着することができる。
尚、幼児の玩具として用いる場合には、前記鞍２は取り外しておくことが、安全上好ましい。
【００２２】
次に、第２の実施形態として、リスの形をした縫いぐるみ６について、図５に基づいて説明する。尚、図５は本考案の第２実施形態にかかるリスの形をした縫いぐるみを示す概略側面図であって、（ａ）はメジャーが収容されている状態を示す図、（ｂ）はメジャーが引き出された状態を示す概略側面図である。
【００２３】
この実施形態にあっては、図５に示すように、リスの形をした縫いぐるみ６の腕部６ａはどんぐり７を保持している。またこのどんぐり７は前記腕部６ａから取り外すことができるよう構成されている。
また、前記リスの胴体部６ｂの内部には、裁縫用のメジャー本体１０が収容されている。そして、このメジャー本体１０の内部には、メジャー１０ｂが進出後退可能に収容され、前記メジャー１０ｂの先端部に前記どんぐり７が取付けられている。
【００２４】
したがって、図５（ａ）に示す状態の縫いぐるみ６の腕部６ａからどんぐり７を取り出すことによって、第１の実施形態と同様に、メジャー１０ｂを引き出すことができ、図５（ｂ）の状態になすことができる。
また、引き出されたメジャー１０ｂは、リスの胴体部６ｂに位置するメジャー本１０のロック解除ボタン１０ｃを押すことにより、引き出されたメジャー１０ｂを収納ケース１０ａ内に戻される。
その結果、リスの胴体部６ｂから分離していたどんぐり７は、前記腕部６ａによって保持する状態に復帰する。
【００２５】
このように構成されているため、このリスの縫いぐるみ６にあっても、必要に応じてメジャーとして用いることができ、またメジャーを用いない場合には、縫いぐるみとして、室内の雰囲気を壊すことなく、室内に飾ることができる。
また、机の上に置くことにより、子供に興味を抱かせることができるため、常に、机の上などに置いた状態をなすことができる。
【００２６】
また、前記どんぐり７を引くことにより、メジャー１０ｂを引き出し、ロック解除ボタン１０ｃを押すことにより、どんぐりが元の状態に戻るという幼児にとって興味深い状態変化がなされるため、玩具として用いることもできる。
【００２７】
次に、第３の実施形態として、ふくろうの形をした縫いぐるみ８について、図６に基づいて説明する。尚、図６は本考案の第３実施形態にかかるふくろうの形をした縫いぐるみを示す概略側面図であって、メジャーが引き出された状態を示す概略側面図である。
【００２８】
この実施形態にあっては、図６に示すように、ふくろうの形をした縫いぐるみ８の翼部８ａは本８ｃを保持している。また本８ｃは前記翼部８ａから取り外すことができるよう構成されている。
また、前記ふくろうの胴体部８ｂの内部には、裁縫用のメジャー本体１０が収容されている。そして、このメジャー本体１０の内部には、メジャー１０ｂが進出後退可能に収容され、前記メジャー１０ｂの先端部に前記本８ｂが取付けられている。
【００２９】
前記した第２の実施形態と同様に、縫いぐるみ８の翼部８ａから本８ｃを取り出すことによって、メジャー１０ｂを引き出し、また引き出されたメジャー１０ｂは、ロック解除ボタン１０ｃを押すことにより、収納ケース１０ａ内に戻される。
尚、前記本８ｃの内部に、はさみ、糸、針等の裁縫道具を収容しても良い。この場合、本８ｃは掴み部材としての機能と、付属品としての機能を有する。
【００３０】
この第３の実施形態にあっても、必要に応じてメジャーとして用いることができ、またメジャーを用いない場合には、縫いぐるみとして、室内に飾ることができる。
また、机の上に置くことにより、子供に興味を抱かせることができるため、常に、机の上などに置いた状態をなすことができる。
また、前記本８ｂを引くことにより、メジャー１０ｂを引き出し、ロック解除ボタン１０ｃを押すことにより、本が元の状態に戻るという状態変化がなされるため、幼児の玩具として用いることもできる。
【００３１】
尚、上記第１、第２、第３の実施形態において、メジャーとして裁縫用のメジャーを例にとって説明したが、これに限定されるものではなく、手芸用のメジャー、文房具用のメジャーであっても良い。
また、上記第１、第２、第３の実施形態において、「馬」「リス」「ふくろう」の縫いぐるみを例にとって説明したが、本考案はこれらに限定されるものではなく、例えば、「人間」「くま」「カンガルー」「パンダ」「うし」「キリン」「かば」等の動物、「あひる」「ペンギン」「白鳥」等の鳥、また図７に示す「ユニコーン９」「ペガサス」のような伝説上の動物、あるいは「電車」「自動車」等の乗り物、ティポット、スプーン等の食事用品等の日用品等の縫いぐるみに適用することができる。
【００３２】
また、縫いぐるみは動物、鳥等の体全体である必要はなく、体の一部である、例えば「顔」の縫いぐるみにも適用することができる。「顔」の縫いぐるみを例にとって、具体的に説明すれば、顔の一部である「耳」を掴み部材とし、この「耳」を「顔」から取り外すことにより、メジャーを引き出し、「例えば鼻（ロック解除ボタン）」を押すことにより、引き出されたメジャーをケース内に巻き戻すように構成しても良い。
また、「頭」に「帽子」を被る縫いぐるみおいて、「帽子」を掴み部材とし、この「帽子」を「頭」から取り外すことにより、メジャーを引き出し、「例えば鼻（ロック解除ボタン）」を押すことにより、引き出されたメジャーをケース内に巻き戻すように構成しても良い。同様に、「頭」に「リボン」をつける縫いぐるみおいて、「リボン」を掴み部材としても良い。
更に、「ティポット」の縫いぐるみおいて、「蓋」を掴み部材とし、この「蓋」を「ティポット本体」から取り外すことにより、メジャーを引き出し、「例えばティポットの本体（ロック解除ボタン）」を押すことにより、引き出されたメジャーをケース内に巻き戻すように構成しても良い。
【符号の説明】
【００３３】
１      馬の形をした縫いぐるみ
１ａ    胴体部
１ｂ    尻尾（掴み部材）
２      鞍
２ａ    鞍本体部
２ｂ    ボタン
２ｃ    輪状の紐部材
２ｄ    収容ポケット
３      はさみ
４      糸
５      針
６      リスの形をした縫いぐるみ
６ａ    腕部
６ｂ    胴体部
７      どんぐり（掴み部材）
８      ふくろうの形をした縫いぐるみ
８ａ    翼部
８ｂ    胴体部
８ｃ    本（掴み部材）
１０    メジャー本体
１０ａ  収容ケース
１０ｂ  メジャー
１０ｃ  ロック解除ボタン
【図１】
0003192009.tif 000003
【図２】
0003192009.tif 000004
【図３】
0003192009.tif 000005
【図４】
0003192009.tif 000006
【図５】
0003192009.tif 000007
【図６】
0003192009.tif 000008
【図７】
0003192009.tif 000009